(57)【要約】【課題】  トラッキングを行わずにＢＣＡ情報を再生する光情報記録媒体に対して、ＢＣＡから良好な信号品質のＢＣＡ再生信号が得られる光情報記録媒体を提供する。【解決手段】  基板と、該基板上に色素材料で形成された光吸収層とを備える光情報記録媒体であって、スパイラル状または同心円状のグルーブを含む凹凸パターンが形成されたユーザー情報領域と該ユーザー情報領域の内周側に設けられたバーコードで情報が記録されるＢＣＡとを備え、ＢＣＡにユーザー情報領域の凹凸パターンと異なる凹凸パターンが形成されている光情報記録媒体を提供する。【選択図】  図２
2006172688.tif 000002
【特許請求の範囲】
【請求項１】
基板と、該基板上に色素材料で形成された光吸収層とを備える光情報記録媒体であって：
スパイラル状または同心円状のグルーブを含む凹凸パターンが形成されたユーザー情報領域と；
上記ユーザー情報領域の内周側に設けられ且つバーコードで情報が記録されるＢＣＡとを備え、
上記ＢＣＡに上記ユーザー情報領域の凹凸パターンと異なる凹凸パターンが形成されていることを特徴とする光情報記録媒体。
【請求項２】
上記ＢＣＡの凹凸パターンのトラックピッチＴＰと、上記ユーザー情報領域の凹凸パターンのトラックピッチＴＰｙとの間に、
ＴＰ＜ＴＰｙ
の関係が成立することを特徴とする請求項１に記載の光情報記録媒体。
【請求項３】
上記ＢＣＡの凹凸パターンがグルーブを含み、該ＢＣＡのグルーブ間の幅ＬＷ１と、上記光情報記録媒体の再生に用いる再生ビームの波長λ及び対物レンズの開口数ＮＡとの間に、
（ＬＷ１×ＮＡ）／λ≦０．３
の関係が成立することを特徴とする請求項１または２に記載の光情報記録媒体。
【請求項４】
トラッキングを行わずに上記再生ビームを上記ＢＣＡに照射して上記ＢＣＡの情報を再生した際、上記再生ビームのスポット中心が上記グルーブの中央に位置するときに得られる再生信号の振幅と、上記再生ビームのスポット中心が上記グルーブ間の中央に位置するときに得られる再生信号の振幅のうち、一方の振幅が他方の振幅以上の大きさであり、且つ、一方の振幅と他方の振幅との比が１．４以下であることを特徴とする請求項３に記載の光情報記録媒体。
【請求項５】
上記ＢＣＡの凹凸パターンがエンボスピット列を含み、該ＢＣＡのエンボスピット列間の幅ＬＷ２と、上記光情報記録媒体の再生に用いる再生ビームの波長λ及び対物レンズの開口数ＮＡとの間に、
（ＬＷ２×ＮＡ）／λ≦０．３
の関係が成立することを特徴とする請求項１または２に記載の光情報記録媒体。
【請求項６】
トラッキングを行わずに上記再生ビームを上記ＢＣＡに照射して上記ＢＣＡの情報を再生した際、上記再生ビームのスポット中心が上記エンボスピット列の中央に位置するときに得られる再生信号の振幅と、上記再生ビームのスポット中心が上記エンボスピット列間の中央に位置するときに得られる再生信号の振幅のうち、一方の振幅が他方の振幅以上の大きさであり、且つ、一方の振幅と他方の振幅との比が１．４以下であることを特徴とする請求項５に記載の光情報記録媒体。
【請求項７】
上記ＢＣＡの凹凸パターンがグルーブ及び該グルーブ間に形成されたエンボスピット列を含み、該エンボスピット列とその両側のグルーブとの間の幅のうち広い方の幅ＬＷ３と、上記光情報記録媒体の再生に用いる再生ビームの波長λ及び対物レンズの開口数ＮＡとの間に、
（ＬＷ３×ＮＡ）／λ≦０．３
の関係が成立することを特徴とする請求項１または２に記載の光情報記録媒体。
【請求項８】
トラッキングを行わずに上記再生ビームを上記ＢＣＡに照射して上記ＢＣＡの情報を再生した際、上記再生ビームのスポット中心が上記グルーブの中央に位置するときに得られる再生信号の振幅と、上記再生ビームのスポット中心が上記グルーブ及び上記エンボスピット列間の中央に位置するときに得られる再生信号の振幅のうち、一方の振幅が他方の振幅以上の大きさであり、且つ、一方の振幅と他方の振幅との比が１．４以下であることを特徴とする請求項７に記載の光情報記録媒体。
【請求項９】
トラッキングを行わずに上記ＢＣＡの情報を再生した際の再生信号の最小振幅Ｉｍｉｎと、クロストラック信号の振幅ＣＴとの間に、
Ｉｍｉｎ＞ＣＴ
の関係が成立することを特徴とする請求項１〜８のいずれ一項に記載の光情報記録媒体。
【請求項１０】
上記ＢＣＡのトラックピッチＴＰと、上記光情報記録媒体の再生に用いる再生ビームの波長λ及び対物レンズの開口数ＮＡとの間に、
（ＴＰ×ＮＡ）／λ≦０．６
の関係が成立することを特徴とする請求項１〜９のいずれか一項に記載の光情報記録媒体。
【請求項１１】
上記ＢＣＡのトラックピッチＴＰと、上記光情報記録媒体の再生に用いる再生ビームの波長λ及び対物レンズの開口数ＮＡとの間に、
０．４５≦（ＴＰ×ＮＡ）／λ≦０．６
の関係が成立することを特徴とする請求項１〜９のいずれか一項に記載の光情報記録媒体。
【請求項１２】
上記ＢＣＡの記録部の反射率と未記録部の反射率とが異なり、高い方の反射率ＲＨと低い方の反射率ＲＬとの間に、
（ＲＨ−ＲＬ）／ＲＨ≧０．２
の関係が成立することを特徴とする請求項１〜１１のいずれか一項に記載の光情報記録媒体。
【請求項１３】
上記光情報記録媒体のユーザー情報領域の情報が、青色レーザを用いて記録再生されることを特徴とする請求項１〜１２のいずれか一項に記載の光情報記録媒体。
【発明の詳細な説明】
【技術分野】
【０００１】
本発明は光情報記録媒体に関し、より詳細には、管理情報がバーコードで記録されている光情報記録媒体に関する。
【背景技術】
【０００２】
ＤＶＤ−ＲＯＭ等の光情報記録媒体には、その最内周にトラッキングサーボ制御を行うことなく情報を読み取ることができる領域を有する媒体があり、そのような領域としては、バーコードで情報を記録するＢＣＡ（Ｂｕｒｓｔ  Ｃｕｔｔｉｎｇ  Ａｒｅａ）が知られている（例えば、特許文献１及び２参照）。特許文献１では、ユーザー情報領域に書かれたプログラム、データ、アプリケーション情報等のユーザー情報を管理、若しくは、その著作権を保護するために、ユーザー情報領域外であるＢＣＡにはユーザー情報領域と異なる変調方式で管理情報が記録されている。
【０００３】
ＢＣＡは、特許文献２に開示されているように光情報記録媒体の製造段階で形成される。例えば、ＤＶＤ−ＲＯＭの場合にはＹＡＧレーザで反射膜を除去して形成される。ＢＣＡにはシリアル番号等の光情報記録媒体個々の識別情報を記録して、著作権保護にも利用されている。追記型光情報記録媒体であるＤＶＤ−Ｒの場合には、ＤＶＤ−ＲＯＭのようにＹＡＧレーザで反射膜を除去すると記録層と反射膜が剥離するという問題があるため、専用のＢＣＡライターでコントロール領域内のグルーブ部分にバーコードを形成してＢＣＡ情報を記録している。
【０００４】
また、従来のＤＶＤ−Ｒでは、ＢＣＡにユーザー情報領域と同じ形状の溝が形成されており、その溝をトラッキングしながらＢＣＡの情報が再生される。
【０００５】
【特許文献１】特開平１０−１８８３６１号公報
【特許文献２】特開平６−２０３４１２号公報
【発明の開示】
【発明が解決しようとする課題】
【０００６】
本発明者らは、次世代光ディスクであるＨＤ  ＤＶＤのうち記録層に色素材料を用いたＨＤ  ＤＶＤ−Ｒに対して、従来と同様にしてディスクの最内周にＢＣＡを設け、ＢＣＡに対してトラッキング制御を行わず（フォーカス制御のみを行う）にＢＣＡ情報の再生を行ったところ、ＢＣＡ情報を正確に再生することができなかった。
【０００７】
本発明は上記課題を解決するためになされたものであり、例えば上述のＨＤ  ＤＶＤのように、トラッキング制御を行わずにＢＣＡ情報を再生するような光情報記録媒体に対しても、ＢＣＡ情報を良好な信号品質で再生できる光情報記録媒体を提供することを目的とする。
【課題を解決するための手段】
【０００８】
本発明の態様に従えば、基板と、該基板上に色素材料で形成された光吸収層とを備える光情報記録媒体であって：
スパイラル状または同心円状のグルーブを含む凹凸パターンが形成されたユーザー情報領域と；
上記ユーザー情報領域の内周側に設けられ且つバーコードで情報が記録されるＢＣＡとを備え、
上記ＢＣＡに上記ユーザー情報領域の凹凸パターンと異なる凹凸パターンが形成されていることを特徴とする光情報記録媒体が提供される。
【０００９】
本発明者らは、まず、光吸収層（記録層）に色素材料を用いたＨＤ  ＤＶＤに対して、ＢＣＡをミラー部で形成し、ＢＣＡ情報の記録再生を行ったが、十分な振幅のＢＣＡ再生信号が得られず、正確にＢＣＡ情報を再生することが出来なかった。これは、ユーザー情報領域のグルーブにおける記録層の膜厚が最適になるように記録層を形成した場合、ＢＣＡがミラー部で形成されているのでＢＣＡ上には色素材料が十分に溜まらず、ＢＣＡ上の記録層の膜厚が薄くなるためである。記録層に色素材料を用いた場合、十分な記録再生特性を得るためには最適な記録層の膜厚範囲が存在し、その最適な膜厚範囲より膜厚が厚すぎても薄すぎても十分な記録再生特性が得られない。それゆえ、ＢＣＡをミラー部で形成した場合には、ＢＣＡ上にはＢＣＡ情報を再生するほど十分な膜厚の記録層が形成されないため、正確にＢＣＡ情報を再生することができないことが分かった。そこで、ＢＣＡ上の記録層の膜厚をＢＣＡ情報が十分に再生可能となるように厚くしたが、その場合にはユーザー情報領域のグルーブ上の記録層の膜厚が厚くなりすぎて、ユーザー情報領域の記録特性が劣化した。
【００１０】
さらに、本発明者らは、ＢＣＡ及びユーザー情報領域ともに、情報再生に最適な厚さの記録層を形成するために、従来のＤＶＤ−Ｒと同様に、ＢＣＡにユーザー情報領域の溝（グルーブ）と同じ溝をＢＣＡに形成し、ＢＣＡ情報の記録再生を行った。しかしながら、この場合には、ＢＣＡ再生信号の振幅変動が大きくなり、正確にＢＣＡ情報を再生することができなかった。これは、ＨＤ  ＤＶＤのようにトラッキング制御を行わずにＢＣＡ情報を再生すると、ディスクの偏心により、再生ビームがＢＣＡのグルーブ部とランド部を横切るように照射される、すなわち、記録層の膜厚が厚い領域と薄い領域を横切るように再生ビームが照射されるので、再生信号の振幅が変動する（クロストラック信号が発生する）ためである。より具体的には、ＢＣＡのグルーブ部では記録層の膜厚が十分厚いので再生信号の振幅は大きくなるが、ランド部では記録層の膜厚が薄いので十分な振幅の再生信号が得られず、その結果、ＢＣＡからの再生信号の振幅が変動してしまう。
【００１１】
本発明は、上記課題を解決するためになされたものである。本発明の光情報記録媒体では、ユーザー情報領域の記録再生特性に影響を与えることなく、ＢＣＡに十分な膜厚の記録層を形成することができ且つトラッキング制御を行わなくてもＢＣＡから振幅変動の少ない再生信号が得られるように、ＢＣＡにユーザー情報領域の凹凸パターンと異なる凹凸パターンを形成した。なお、本願明細書でいう「異なる凹凸パターン」とは、凹凸パターンの形状（例えば、溝やピットの形状）が異なるだけでなく、形状が同じであっても寸法（例えば、トラックピッチ，グルーブ幅等）が異なる凹凸パターンも含む意味である。
【００１２】
本発明の光情報記録媒体では、上記ＢＣＡの凹凸パターンのトラックピッチＴＰと、上記ユーザー情報領域の凹凸パターンのトラックピッチＴＰｙとの間に、
ＴＰ＜ＴＰｙ  …（１）
の関係が成立することが好ましい。
【００１３】
本発明の光情報記録媒体では、上記ＢＣＡの凹凸パターンがグルーブを含み、該ＢＣＡのグルーブ間の幅ＬＷ１と、上記光情報記録媒体の再生に用いる再生ビームの波長λ及び対物レンズの開口数ＮＡとの間に、
（ＬＷ１×ＮＡ）／λ≦０．３  …（２）
の関係が成立することが好ましい。
【００１４】
本発明の光情報記録媒体では、上記ＢＣＡの凹凸パターンがエンボスピット列を含み、該ＢＣＡのエンボスピット列間の幅ＬＷ２と、上記光情報記録媒体の再生に用いる再生ビームの波長λ及び対物レンズの開口数ＮＡとの間に、
（ＬＷ２×ＮＡ）／λ≦０．３  …（３）
の関係が成立することが好ましい。
【００１５】
また、本発明の光情報記録媒体では、上記ＢＣＡの凹凸パターンがグルーブ及び該グルーブ間に形成されたエンボスピット列を含み、該エンボスピット列とその両側のグルーブとの間の幅のうち広い方の幅ＬＷ３と、上記光情報記録媒体の再生に用いる再生ビームの波長λ及び対物レンズの開口数ＮＡとの間に、
（ＬＷ３×ＮＡ）／λ≦０．３  …（４）
の関係が成立することが好ましい。
【００１６】
上記（１）〜（４）式のいずれかを満たすように、ＢＣＡに凹凸パターンを形成した場合には、例えば、スピンコート法によりユーザー情報領域の記録特性が最適となるような膜厚で記録層を塗布して形成しても、ＢＣＡのグルーブ部やエンボスピット部に色素材料が溜まり、ＢＣＡ上の記録層の膜厚が十分厚くなる。また、上記（１）〜（４）式のいずれかを満たすように、ＢＣＡに凹凸パターンを形成した場合には、ＢＣＡのグルーブ部やエンボスピット部以外のランド部の領域が、記録再生に用いる光ディスクドライブの光学分解能λ／（２・ＮＡ）よりも小さくなり、完全に識別不可能なサイズとなる。この場合、トラッキングを行わずにＢＣＡに再生ビームを照射すると、媒体の偏心により、ＢＣＡのグルーブ部とランド部を横切るように再生ビームが照射されるが、ランド部の領域が光学分解能よりも小さいので、ほとんど信号振幅の得られないランド部の再生信号と十分な信号振幅の得られるグルーブ部やエンボスピット部の再生信号とが平均化された再生信号がＢＣＡから得られる。その結果、ＢＣＡ再生信号の振幅変動を抑制することができる。
【００１７】
また、上記（１）〜（４）式のいずれかを満たすように、ＢＣＡに凹凸パターンを形成した場合には、ＢＣＡ再生信号の最小振幅Ｉｍｉｎと、クロストラック信号の振幅ＣＴとの間に、
Ｉｍｉｎ＞ＣＴ
の関係が成立し、ＢＣＡ情報を良好な信号品質で再生できる。本発明の光情報記録媒体では、ＢＣＡにも凹凸パターンを形成するので、ＢＣＡ情報を再生した際にグルーブやエンボスピット列から得られる再生信号レベルとそれらの領域以外のランド部から得られる再生信号レベルとは若干異なり、多少クロストラック信号の影響を受ける。しかしながら、本発明者らの検証実験によると、上記（１）〜（４）式のいずれかを満たすようにＢＣＡの凹凸パターンを形成することにより、トラッキングを行わずにＢＣＡの情報を再生した際に多少クロストラック信号の影響を受けても、再生信号の最小振幅Ｉｍｉｎがクロストラック信号の振幅ＣＴより大きくなるので、より正確にＢＣＡ情報を再生することができる。なお、本明細書でいう「クロストラック信号の振幅」とは、ＢＣＡから得られる再生信号の未記録レベル（ＢＣＡの未記録部から得られる信号レベル）の変動量及び記録レベル（ＢＣＡの記録部から得られる信号レベル）の変動量のうち大きい方の変動量のことをいう。
【００１８】
また、本発明の光情報記録媒体では、上記（１）〜（４）式のいずれかを満たすようにＢＣＡに凹凸パターンを形成することにより、トラッキングを行わずに上記ＢＣＡの情報を再生した際にも、ＢＣＡの記録部及び未記録部の反射率のうち、高い方の反射率ＲＨと低い方の反射率ＲＬとの間に、
（ＲＨ−ＲＬ）／ＲＨ≧０．２
の関係が成立する。すなわち、ＢＣＡの再生信号の変調度が２０％以上となり、良好な信号品質のＢＣＡ再生信号が得られる。
【００１９】
さらに、本発明の光情報記録媒体では、上記ＢＣＡのトラックピッチＴＰと、上記光情報記録媒体の再生に用いる再生ビームの波長λ及び対物レンズの開口数ＮＡとの間に、
（ＴＰ×ＮＡ）／λ≦０．６  …（５）
の関係が成立することが好ましく、より好ましくは、
０．４５≦（ＴＰ×ＮＡ）／λ≦０．６  …（６）
の関係が成立することが好ましい。
【００２０】
本発明の光情報記録媒体で、ＢＣＡの凹凸パターンをグルーブで形成した場合、上記（２）式と上記（５）または（６）式とを満たすようにＢＣＡにグルーブを形成することにより、次のような再生信号特性が得られることを本発明者らは見出した。トラッキングを行わずに上記再生ビームを上記ＢＣＡに照射して上記ＢＣＡの情報を再生した際、上記再生ビームのスポット中心が上記グルーブの中央に位置するときに得られる再生信号の振幅と、上記再生ビームのスポット中心が上記グルーブ間の中央に位置するときに得られる再生信号の振幅のうち、一方の振幅が他方の振幅以上の大きさであり、且つ、一方の振幅と他方の振幅との比が１．４以下となる。すなわち、上記（２）式と上記（５）または（６）式とを満足するように、ＢＣＡにグルーブを形成することにより、ＢＣＡから振幅変動の非常に小さい再生信号を得ることができる。
【００２１】
なお、本明細書でいうＢＣＡから得られる「再生信号の振幅」とは、ＢＣＡ再生信号の未記録レベル（ＢＣＡの未記録部から得られる信号レベル）と記録レベル（ＢＣＡの記録部から得られる信号レベル）とのレベル差のことをいう。また、再生ビームのスポット中心がグルーブの中央に位置するときに得られる再生信号の振幅と、再生ビームのスポット中心がグルーブ間の中央に位置するときに得られる再生信号の振幅との大小関係は、記録層（光吸収層）の形成材料により異なる。
【００２２】
本発明の光情報記録媒体で、ＢＣＡの凹凸パターンをエンボスピット列で形成した場合、上記（３）式と上記（５）または（６）式とを満たすようにＢＣＡにエンボスピット列を形成することにより、本発明者らは、次のような再生信号特性が得られることを見出した。トラッキングを行わずに上記再生ビームを上記ＢＣＡに照射して上記ＢＣＡの情報を再生した際、上記再生ビームのスポット中心が上記エンボスピット列の中央に位置するときに得られる再生信号の振幅と、上記再生ビームのスポット中心が上記エンボスピット列間の中央に位置するときに得られる再生信号の振幅のうち、一方の振幅が他方の振幅以上の大きさであり、且つ、一方の振幅と他方の振幅との比が１．４以下となる。すなわち、上記（３）式と上記（５）または（６）式とを満たすように、ＢＣＡにエンボスピット列を形成することにより、ＢＣＡから振幅変動の非常に小さい再生信号を得ることができる。
【００２３】
また、本発明の光情報記録媒体で、ＢＣＡの凹凸パターンをグルーブとグルーブ間に設けられたエンボスピット列とで形成した場合、上記（４）式と上記（５）または（６）式とを満たすようにＢＣＡにエンボスピット列を形成することにより、本発明者らは、次のような再生信号特性が得られることを見出した。トラッキングを行わずに上記再生ビームを上記ＢＣＡに照射して上記ＢＣＡの情報を再生した際、上記再生ビームのスポット中心が上記グルーブの中央に位置するときに得られる再生信号の振幅と、上記再生ビームのスポット中心が上記グルーブ及び上記エンボスピット列間の中央に位置するときに得られる再生信号の振幅のうち、一方の振幅が他方の振幅以上の大きさであり、且つ、一方の振幅と他方の振幅との比が１．４以下となる。すなわち、上記（４）式と上記（５）または（６）式とを満たすように、ＢＣＡにグルーブ及びエンボスピット列を形成することにより、ＢＣＡから振幅変動の非常に小さい再生信号を得ることができる。
【００２４】
なお、本発明の光情報記録媒体では、上記（２）〜（４）式のいずれかと、上記（１）式（ＢＣＡのトラックピッチＴＰがユーザー情報領域のトラックピッチＴＰｙより狭いという特徴）とが同時に成立するように、ＢＣＡの凹凸パターンを形成することが好ましい。しかしながら、本発明はこれに限定されず、ＢＣＡの凹凸パターンが上記（２）〜（４）式のいずれかを満たすような形状で形成されていれば、ＢＣＡのトラックピッチＴＰがユーザー情報領域のトラックピッチＴＰｙと同じであっても良く、また、ＢＣＡのトラックピッチＴＰがユーザー情報領域のトラックピッチＴＰｙよりある程度大きくても良い。本発明者らは、このような場合でも、ＢＣＡから振幅変動の非常に小さい再生信号が得られることを検証実験で確認している。
【００２５】
本発明の光情報記録媒体では、青色レーザを用いてユーザー情報領域の情報の記録再生が行われることが好ましい。
【発明の効果】
【００２６】
本発明の光情報記録媒体によれば、ユーザー情報領域に形成された凹凸パターンとは異なり、且つ上記（１）〜（４）式のいずれかを満足するような形状でＢＣＡの凹凸パターンを形成しているので、ＢＣＡ上にＢＣＡ再生信号が十分に得られる程度の膜厚を有する記録層を形成することができ、且つ、トラッキング制御を行わずにＢＣＡ情報を再生してもＢＣＡ再生信号の最小振幅値をクロストラック信号の振幅値よりも大きくする（振幅変動を抑制する）ことができ、良好な信号品質でＢＣＡ情報を再生することができる。
【発明を実施するための最良の形態】
【００２７】
以下に、本発明の光情報記録媒体の実施形態を図面を参照しながら説明するが、本発明はこれに限定されない。
【００２８】
［光情報記録媒体のフォーマット構成］
本発明の光情報記録媒体は、基板と、該基板上に色素材料で形成された記録層（光吸収層）とを備えた媒体であり、本発明の光情報記録媒体の一実施形態を図１に示す。図１は、本実施形態の光情報記録媒体の概略平面図である。光情報記録媒体１には、図１に示すように、内周側からバーコードで管理情報を記録するＢＣＡ２、ユーザー情報の記録に関する管理情報を記録する管理情報領域３、及びユーザー情報を記録するユーザー情報領域４がこの順で形成されている。
【００２９】
本発明の光情報記録媒体のＢＣＡ２、管理情報領域３及びユーザー情報領域４の基板形状の模式図を、図２に示す。本実施形態では、ＢＣＡ２は、図２に示すように、グルーブ５、エンボスピット列６、及び、グルーブ７ａと該グルーブ間に形成されたエンボスピット列７ｂとからなる凹凸パターン７のいずれかから構成される。なお、図２では、本発明の光情報記録媒体のＢＣＡ２に形成される凹凸パターンの一例を示したが、これに限定されない。例えば、ＢＣＡ２の凹凸パターン５，６，７を特定の周波数でウォブルさせても良い。また、図２の例では、同一形状のエンボスピットをトラック方向に沿って等間隔で配置したパターンを示しているが、上記（３）または（４）式と、（５）または（６）式とを満たすような形状であれば任意のエンボスピット列のパターンを用い得る。例えば、図１１に示すように、所定のトラックに形成されたエンボスピット列の周方向隣接するエンボスピット間の領域に所定トラックに隣接するトラックのエンボスピットの一部が形成されているようなエンボスピット列パターン、すなわち、隣接するトラック間で周方向にエンボスピット列が重なり合っているようなエンボスピット列パターンを用いても良い。
【００３０】
管理情報領域３は、図２に示すように、管理情報を示すエンボスピット８が形成されており、ユーザー情報領域４は情報記録時にピットが形成されるグルーブ９が形成されている。また、ユーザー情報領域４のグルーブ９には、アドレス情報を付与するために、特定の周波数でグルーブ９をウォブルさせても良いし、ピットを含ませても良い。上記各領域のピットあるいはグルーブはスパイラル状あるいは同心円状に形成されている。
【００３１】
［ＢＣＡの構造］
ここで、本実施形態の光情報記録媒体のＢＣＡ２の構成について、図３及び４を用いてさらに詳しく説明する。
【００３２】
ＢＣＡ２に形成されるグルーブ及び／又はエンボスピットの深さは、仕様や膜構成等により任意に設定可能であるが、通常、３０〜１２０ｎｍの深さが好適であり、さらに望ましくは５０〜１００ｎｍの深さであることが好ましい。これは、ユーザー領域に対して良好な溝信号特性や記録特性を確保するための好ましい深さであるが、この深さ範囲をＢＣＡ２に適用しても同様の効果が得られる。すなわち、上記深さの範囲は、ＢＣＡ２上の色素材料の膜厚をＢＣＡ２から良好な信号特性を得るために必要な膜厚にするための最適な深さ範囲でもある。
【００３３】
ＢＣＡ２の凹凸パターンをグルーブのみで形成した場合（図３中の左図）には、グルーブ間（ランド部）５ａの幅４０をＬＷ１とすると、下記の関係式が成立する。
（ＬＷ１×ＮＡ）／λ≦０．３  …（２）
ここで、λは光ディスク駆動装置の記録再生レーザの波長であり、ＮＡは記録再生ピックアップの対物レンズの開口数である。なお、ここでは、図３中の左図に示すように、ＬＷ１はクルーブ間（ランド部）５ａの半値幅とした。
【００３４】
ＢＣＡ２の凹凸パターンをエンボスピット列のみで形成した場合（図３中の中央図）には、エンボスピット列６間の幅４３をＬＷ２とすると、下記の関係式が成立する。
（ＬＷ２×ＮＡ）／λ≦０．３  …（３）
なお、ここではエンボスピット列６間の幅ＬＷ２は、図３中の中央図に示すように、隣り合うエンボスピット列６間において、トラックの径方向（図面上では左右方向）で互いに対向するピットの最端部間の距離とした。
【００３５】
また、ＢＣＡ２の凹凸パターンをグルーブとそのグルーブ間に設けられたエンボスピット列とで形成した場合（図３中の右図）には、エンボスピット列７ｂとその両側に位置するグルーブ７ａとの間の幅４５のうち、広い方の幅をＬＷ３とすると、下記の関係式が成立する。
（ＬＷ３×ＮＡ）／λ≦０．３  …（４）
なお、ここでは、ＬＷ３は、図３中の右図に示すように、エンボスピット列７ｂの径方向の最端部から、その最端部と対向するグルーブ７ａの側壁のグルーブ深さの１／２深さとなる位置までの距離とした。
【００３６】
上述のように、本実施形態の光情報記録媒体では、ＢＣＡ２に凹凸パターンを形成するので、スピンコート法によりユーザー情報領域の記録特性が最適になるような膜厚で色素材料を塗布して記録層を形成した場合でも、ＢＣＡ２のグルーブ部やエンボスピット部に色素材料が溜まるので、ＢＣＡ２上の記録層の膜厚が十分厚くなる。また、ＢＣＡ２のグルーブ部やエンボスピット部以外のランド部の色素膜厚は薄いので、このランド部からは十分なＢＣＡ信号特性が得られないが、本実施形態の光情報記録媒体では、ＢＣＡ２の凹凸パターンを上記（２）〜（４）式のいずれかを満足するように形成しているので、ランド部の領域が、記録再生に用いる光ディスクドライブの光学分解能λ／（２・ＮＡ）よりも小さくなり、完全に識別不可能なサイズとなる。この場合、トラッキングを行わずにＢＣＡ２に再生レーザを照射すると、媒体の偏心により、ＢＣＡ２のトラック部とランド部を横切るように再生レーザが照射されるが、ランド部の領域が光学分解能よりも小さいので、ほとんど信号振幅の得られないランド部の再生信号と十分な信号振幅の得られるグルーブ部やエンボスピット部の再生信号を平均化した再生信号がＢＣＡから得られる。それゆえ、本実施形態の光情報記録媒体のようにＢＣＡ２の凹凸パターンを上記（２）〜（４）式のいずれかを満足するように形成することにより、ＢＣＡ再生信号の振幅変動を抑制することができ、再生に問題ないＢＣＡ再生信号振幅変調度、すなわち良好なＢＣＡ再生特性を得ることができる。なお、この場合、ほとんどＢＣＡ再生信号が得られない領域（ランド部）とＢＣＡ再生信号が十分な強度で得られる領域（グルーブ部及び／又はエンボスピット列部）の比率に応じてＢＣＡ再生信号が平均化されるので、望ましくはランド部の幅に対してグルーブ部やエンボスピット部の幅の比率を大きくする方が好ましい。
【００３７】
本実施形態の光情報記録媒体では、図３に示したＢＣＡ２のいずれの凹凸パターンにおいても、さらに、ＢＣＡ２のトラックピッチ４２（ＴＰ）を、ユーザー情報領域のトラックピッチ（ＴＰｙ）より小さくするの（上記（１）式を満足すること）が好適である。
【００３８】
また、本実施形態の光情報記録媒体では、ＢＣＡ２のトラックピッチ４２（ＴＰ）と、光ディスク駆動装置の記録再生レーザ波長λと、記録再生ピックアップの対物レンズの開口数をＮＡとの間に、
（ＴＰ×ＮＡ）／λ≦０．６  …（５）
の関係が成立するようにＢＣＡ２のトラックピッチ４２（ＴＰ）を設定することが好ましく、さらに望ましくは
０．４５≦（ＴＰ×ＮＡ）／λ≦０．６  …（６）
の関係が成立するようにＢＣＡ２のトラックピッチ４２（ＴＰ）を設定することが好ましい。すなわち、ＢＣＡ２のトラックピッチＴＰをできるだけ小さくして、記録再生に用いる光ディスクドライブの光学分解能λ／（２・ＮＡ）により近づける、あるいは、光学分解能以下にすることが好ましい。なお、（ＴＰ×ＮＡ）／λが０．５以下となれば、ＢＣＡ２のトラックは完全に光学的分解能以下のサイズとなる。
【００３９】
上記（５）又は（６）式の関係を満たすように、ＢＣＡ２のトラックピッチＴＰを設定することにより、トラッキングをはずしてＢＣＡ情報を再生しても、クロストラック信号による再生信号の振幅変動といった影響を少なくすることができる。すなわち、ＢＣＡ２のトラックピッチＴＰを光学的分解能に近づける、あるいは、光学的分解能以下にすることにより、光ディスクドライブ（再生ビーム）側から見れば、ＢＣＡ２の凹凸パターンはミラー部と同様に見えるため、記録したＢＣＡ情報のコントラストのみが信号として再生される。
【００４０】
更に、（６）式に示すように、（ＴＰ×ＮＡ）／λを０．４５以上にすると、光記録情報媒体１を作製する工程の１つである原盤作製の際に、管理情報領域及びユーザー情報領域にグルーブやエンボスピットを形成するために用いる露光装置と同一の露光装置（すなわち、同一レーザ）を使用してＢＣＡ２にグルーブやエンボスピットを作製することができ、生産性が飛躍的に向上する。
【００４１】
上記（５）または（６）式を満足するＢＣＡ２のトラックピッチＴＰの範囲をより具体的に説明すると、例えば、情報の記録再生時に波長４０５ｎｍのレーザと、開口数ＮＡが０．６５の対物レンズを用いた場合、図３に示したＢＣＡ２の凹凸パターンのＬＷ１、ＬＷ２及びＬＷ３をいずれも約１８７ｎｍ以下にすれば、ＢＣＡ２情報を再生するのに問題のない程度の再生信号振幅変調度を得ることができる。更に、ＢＣＡ２のトラックピッチＴＰを約３７４ｎｍ以下にすれば、クロストラック信号による振幅変動を実質的に影響がない程度まで低減することができる。また、ＢＣＡ２のトラックピッチＴＰを２８０ｎｍ以上にすることによって、ＢＣＡ、管理情報領域、ユーザーデータ領域全てを同一露光装置で作製できるため、生産性が飛躍的に向上する。
【００４２】
なお、光情報記録媒体の偏心の影響（クロストラック信号の影響）によるＢＣＡ再生信号の振幅変動を低減するという観点でみれば、上記（２）〜（５）式にそれぞれ示したＢＣＡ２のグルーブ間の幅ＬＷ１、エンボスピット列間の幅ＬＷ２、エンボスピット列とグルーブとの間の幅ＬＷ３及びトラックピッチＴＰ（（ＴＰ×ＮＡ）／λ）はできるだけ小さくすることが望ましい。しかしながら、これらの幅及びトラックピッチの下限には製造上の限界があり、現在の技術では、トラックピッチＴＰで２００ｎｍ程度が限界であり、グルーブ間またはエンボスピット列間の幅の限界は、グルーブやエンボスピットの深さによって若干変わるが、平均して１００ｎｍ程度である。
【００４３】
また、エンボスピットを有する凹凸パターン（図３中の中央図及び右図の凹凸パターン）については、エンボスピットのピット長４６（ＰＬ）と、そのピット間隔長４７（ＳＬ）と、光ディスク駆動装置の記録再生レーザ波長λと、記録再生ピックアップの対物レンズの開口数ＮＡとの間に、
（ＰＬ×ＮＡ）／λ≦０．６
（ＳＬ×ＮＡ）／λ≦０．６
の関係が成立することが好ましく、さらに望ましくは
（ＰＬ×ＮＡ）／λ≦０．５
（ＳＬ×ＮＡ）／λ≦０．５
が成立することが好ましい。このような関係が成立するように、エンボスピットを有する凹凸パターンを形成すると、エンボスピットのピット長４６（ＰＬ）及びそのピット間隔長４７（ＳＬ）を記録再生に用いる光ディスクドライブの光学分解能λ／（２・ＮＡ）に近づける、あるいは、それ以下にすることになるので、記録再生レーザをこれらの凹凸パターンに照射してもエンボスピットやエンボスピット間が認識されず、光ディスクドライブからはミラー面と同様にみえるため、ＢＣＡの再生信号に振幅変動などの悪影響を与え難くなる。
【００４４】
上述のように、ＢＣＡの凹凸パターンを上記関係式（１）〜（６）が満たされるように形成することにより、以下のようなＢＣＡの再生信号特性が得られることが分かった（図４も参照）。なお、下記ＢＣＡの再生信号特性の詳細については、後述する実施例で説明する。
【００４５】
［１］ＢＣＡの再生信号の最小振幅Ｉｍｉｎがクロストラック信号の振幅ＣＴよりも大きくすることができ、より正確にＢＣＡ情報を再生することができる。
【００４６】
［２］ＢＣＡ再生信号の最小振幅における変調度（ＲＨ−ＲＬ）／ＲＨが０．２以上となり、良好な信号品質のＢＣＡ再生信号が得ることができる。
【００４７】
［３］ＢＣＡの凹凸パターンがグルーブのみで形成されている場合、トラッキングを行わずに再生ビームをＢＣＡに照射してＢＣＡ情報を再生した際、再生ビームのスポット中心がグルーブ５の中央に位置するとき（図４左図中の円３０及び３２の状態）にＢＣＡの未記録部２８及び記録部２９からそれぞれ得られる再生信号レベルのレベル差ΔＩｇ（ＢＣＡ再生信号の振幅）と、再生ビームのスポット中心がグルーブ間の中央に位置するとき（図４左図中の円３１及び３３の状態）にＢＣＡの未記録部２８及び記録部２９からそれぞれ得られる再生信号レベルのレベル差Δｌ１（ＢＣＡ再生信号の振幅）との間に、
ΔＩｇ≧ΔＩｌ１の場合、ΔＩｇ／ΔＩｌ１≦１．４
ΔＩｌ１≧ΔＩｇの場合、ΔＩｌ１／ΔＩｇ≦１．４
の関係が成立するような再生信号を得ることができる。すなわち、上記（２）式を満足するように、ＢＣＡにグルーブを形成することにより、ＢＣＡから振幅変動の非常に小さい再生信号を得ることができる。なお、上記関係式ではレベル差ΔＩｇ及びΔＩｌ１の大小関係を場合分けしているが、これは、記録層を形成する色素材料によっては、未記録部の反射率と記録部の反射率の大小関係が変わり、レベル差ΔＩｇ及びΔＩｌ１の大小関係も変わるからである。
【００４８】
［４］ＢＣＡの凹凸パターンがエンボスピット列のみで形成されている場合、トラッキングを行わずに再生ビームをＢＣＡに照射してＢＣＡ情報を再生した際、再生ビームのスポット中心がエンボスピット列の中央に位置するとき（図４中央図中の円３５及び３７の状態）にＢＣＡの未記録部２８及び記録部２９からそれぞれ得られる再生信号レベルのレベル差ΔＩｐと、再生ビームのスポット中心がエンボスピット列間の中央に位置するとき（図４中央図中の円３４及び３６の状態）にＢＣＡの未記録部２８及び記録部２９からそれぞれ得られる再生信号レベルのレベル差ΔＩｏとの間に、
ΔＩｐ≧ΔＩｏの場合、ΔＩｐ／ΔＩｏ≦１．４
ΔＩｏ≧ΔＩｐの場合、ΔＩｏ／ΔＩｐ≦１．４
の関係が成立するような再生信号を得ることができる。すなわち、上記（３）式を満足するように、ＢＣＡにエンボスピット列を形成することにより、ＢＣＡから振幅変動の非常に小さい再生信号を得ることができる。
【００４９】
［５］ＢＣＡの凹凸パターンがグルーブとそのグルーブ間に設けられたエンボスピット列とで形成されている場合、トラッキングを行わずに再生ビームをＢＣＡに照射してＢＣＡ情報を再生した際、再生ビームのスポット中心がグルーブの中央に位置するとき（図４右図中の円３０及び３２の状態）にＢＣＡの未記録部２８及び記録部２９からそれぞれ得られる再生信号レベルのレベル差ΔＩｇと、再生ビームのスポット中心がグルーブ及びエンボスピット列間の中央に位置するとき（図４右図中の円３８及び３９の状態）にＢＣＡの未記録部２８及び記録部２９からそれぞれ得られる再生信号レベルとのレベル差ΔＩｌ２との間に、
ΔＩｇ≧ΔＩｌ２の場合、ΔＩｇ／ΔＩｌ２≦１．４
ΔＩｌ２≧ΔＩｇの場合、ΔＩｌ２／ΔＩｇ≦１．４
の関係が成立するような再生信号を得ることができる。すなわち、上記（４）式を満足するように、ＢＣＡにグルーブ及びエンボスピット列を形成することにより、ＢＣＡから振幅変動の非常に小さい再生信号を得ることができる。
【００５０】
［光情報記録媒体の膜構成］
本実施形態の光情報記録媒体の膜構成について説明する。光情報記録媒体１の概略断面図を図５に示した。本実施形態の光情報記録媒体１は、図５に示すように、ピットとグルーブを有する透光性の基板１０上に、光吸収層１１（記録層）、反射層１２、接着層１３及びダミー基板１４がこの順で形成された構造を有する。記録層１１は、照射されたレーザ光を吸収して発熱し、溶融、蒸発、昇華、変形または変性し、当該記録層１１や基板１０の表面にピットを形成する作用を有する層である。また、基板１０と記録層１１との間には、ＳｉＯ２、ＺｎＳ-ＳｉＯ２等からなるエンハンス層や耐溶剤層を設けても良い。
【００５１】
基板１０は、原盤及びスタンパを作製して射出成型により作製することが好ましい。本実施形態では、原盤は以下のようにして作製した。まず、直径２００ｍｍ、厚さ６ｍｍのガラス原盤を用意し、ガラス原盤の一方の表面上に、フォトレジストを、スピンコート法を用いて均一に塗布した。フォトレジストの厚さはピット（エンボスピット）あるいはグルーブの深さに応じて調整した。次いで、フォトレジストが形成されたガラス原盤をカッティング装置に装着した。
【００５２】
原盤を作製するためのカッティング装置を図６に示す。記録光ヘッド２２は、原盤１５とは相対的に原盤１５の径方向に移動するサーボ系により駆動する（不図示）。記録半径位置はリニアスケール２１で監視されており、クローズサーボループで制御される。フォーマッタ１９は情報データや管理情報、溝信号等を生成し、その生成信号により記録光ヘッド２２が駆動される。カッティング装置のシステム全体はコントローラ１８で管理されており、トラックピッチもコントローラ１８でサーボ制御されている。なお、原盤はスピンドル１６で回転駆動されており、独自のサーボループを形成する。スピンドル１６はスピンドルドライバ１７で駆動される。
【００５３】
ガラス原盤をカッティング装置に装着した後、フォーマッタ１９から送られた情報に応じて、光ヘッド２２からレーザ光をガラス原盤１５上のフォトレジストに照射して露光し、ピットあるいはグルーブ形状に対応する露光パターンを形成した。レーザ光量を調節して、ピットの大きさやグルーブ幅に対応する露光パターンをコントロールした。カッティングが終了した後、ガラス原盤は、公知の現像処理が施され、前記露光パターンに対応したピットあるいはグルーブパターンをフォトレジストに形成した。次いで、ガラス原盤１５のパターン形成面にメッキの前処理として無電解メッキを施した。さらに、このメッキ層を導電膜として用いて、ガラス原盤１５上にＮｉ層を電鋳法によって形成した。次いで、ガラス原盤１５上に形成したＮｉ層の表面を研磨し、さらに、ガラス原盤から上記Ｎｉ層を剥離することにより、スタンパを得た。なお、上記メッキの前処理における導電膜の形成方法としては、スパッタ法や蒸着法を用いても良い。
【００５４】
本実施形態では、上記方法で作製されたスタンパを用いて射出成型により基板１０を作製した。透光性基板１０の材料としては、レーザ光に対する屈折率が１．４〜１．６の範囲の透明度の高い材料で、耐衝撃性に優れた樹脂が望ましい。具体的には、ポリカーボネート、アモルファスポリオレフィン、アクリル等が例示できるが、これらに限定されない。
【００５５】
記録層１１（光吸収層）の材料としては、光吸収性のある有機色素が望ましく、具体的には、シアニン色素、ポリメチン色素、トリアリールメタン色素、ピリリウム色素、フェナンスレン色素、アゾ色素、テトラデヒドロコリン色素、トリアリールアミン色素、スクアリリウム色素、クロコニックメチン色素等が用い得る。しかしながら、本発明はこれに限定されない。また、記録層１１には、他の色素、添加剤、高分子（例えばニトロセルロース等の熱可塑性樹脂、熱可塑性エラストマー）、金属微粒子等を含んでいても良い。
【００５６】
記録層１１は、上記の色素および任意の添加剤を公知の有機溶媒（例えば、テトラフルオロプロパノール、ケトンアルコール、アセチルアセトン、メチルセルロブ、トルエン等）で溶解・溶媒和したものを透光性基板１０上に塗布することにより形成される。記録層１１の形成手段としては、スピンコート法を用いる。この方法では、色素溶液の濃度、粘度、溶剤の乾燥速度を調節することにより、記録層の膜厚を制御することができる。
【００５７】
反射層１２は、金属膜からなり、例えば、金、銀、アルミニウムあるいはこれらを含む合金を、スパッタ法等の手段により形成される。なお、記録層と反射層の間に、ＳｉＯ２、ＺｎＳ-ＳｉＯ２、Ａｌ２Ｏ３等からなるエンハンス層や耐酸化層等の他の層を設けても良い。また、反射層１２上には保護層を形成しても良いし、保護層を形成しなくても良い。保護層としては記録層、反射層を保護できる層であれば任意の材料を用いることができ、例えば、紫外線硬化樹脂、シリコーン系樹脂等を用いることができる。
【００５８】
接着層１３は、耐衝撃性の優れた樹脂によって形成されることが望ましい。例えば、紫外線硬化樹脂をスピンコート法により塗布し、紫外線を照射して硬化させることにより形成することが好ましい。また、ウレタン等の弾性材で接着層１３を形成しても良い。この場合、貼り合わせる基板の両方に記録層を設けても良いし、片方の基板が記録層を備えないダミー基板であっても良い。また、必要に応じて、基板のダミー基板側の表面に、印刷層あるいは印刷受容層を設けても良い。
【００５９】
本実施形態の光情報記録媒体１への記録は、媒体の両面または片面に設けた記録層にレーザ光を照射することにより行う。レーザ光の照射された部分には、レーザ光エネルギーの吸収による色素の分解、発熱、炭化、基板の溶融、変形等の基板の熱的変化が起こる。記録された情報の再生は、レーザ光により、熱的変化が起きている部分と起きていない部分の反射率の差を読み取ることにより行う。
【００６０】
上記実施形態では、基板越しにレーザ光を記録層に照射して記録再生する光情報記録媒体の例について説明したが、本発明はこれに限定されない。膜面側から色素材料からなる記録層をレーザ光を記録層に照射して記録再生する光情報記録媒体に対しても本発明は適用可能である。また、光吸収層をスピンコート法により形成する光情報記録媒体であり、且つ上述したＢＣＡとユーザー情報領域とを有している光情報記録媒体であれば本発明は適用可能である。
【００６１】
本実施形態の光情報記録媒体の記録再生に使用する駆動装置のレーザとしては、波長３９０ｎｍ〜４３０ｎｍの青色レーザを用いることが好ましく、より好ましくは、波長４００〜４２０ｎｍの青色レーザを用いることが好ましい。また、ＢＣＡライターに使用するレーザとしては、波長６２０ｎｍ〜７２０ｎｍの赤色レーザが好ましく、より好ましくは、６５０〜７００ｎｍの赤色レーザが好ましい。ただし、ＢＣＡライターの波長はこの幅に限定されるものではない。
【００６２】
以下に、実施例を挙げて、本実施形態の光情報記録媒体の構成及びＢＣＡ再生信号の特性等についてより具体的に説明する。
【実施例１】
【００６３】
［光情報記録媒体の作製］
まず、上記製造方法で作製したスタンパを既存の射出成型機に装着し、光情報記録媒体グレードのポリカーボネート樹脂を射出成型することにより基板１０を作製した。基板１０は、直径１２０ｍｍ、厚さ０．６ｍｍのポリカーボネート製基板であり、図１に示したように、ガラス原盤に形成されたＢＣＡ、管理情報領域、及びユーザー情報領域のスパイラル状のグルーブ及び／またはピット（エンボスピット）の凹凸パターンが、基板１０の一方の面上に転写されている。この例では、ＢＣＡは半径２２．２０ｍｍ〜２３．２０ｍｍの領域に形成した。ＢＣＡには、トラックピッチ３５０ｎｍ、溝幅２４０ｎｍ及び溝深さ７０ｎｍのストレート（ウォブルしていない）のグルーブを形成した。管理情報領域は、半径２３．４０ｍｍ〜２３．８０ｍｍの領域に形成した。管理情報領域には、トラックピッチ６８０ｎｍ、ピット幅２００ｎｍ及びピット深さ７０ｎｍのピットを形成した。また、ユーザー情報領域は半径２３．８０ｍｍ〜５８.５０ｍｍの領域に形成した。ユーザー情報領域には、トラックピッチ４００ｎｍ、溝幅２１０ｎｍ、溝深さ７０ｎｍ及び周波数７００ｋＨｚで変調されたウォブルグルーブを形成した。なお、ピットとグルーブはスパイラル状に形成されているので、これらの半径は光情報記録媒体のある特定角度での位置関係である。
【００６４】
次に、基板１０の凹凸パタ−ン形成面上に、下記化学式（１）で表わされるアゾ系色素０．７重量％の濃度を有するテトラフルオロプロパノール溶液を、スピンコート法により塗布した。なお、上記色素溶液を塗布する際に、色素溶液をフィルタで濾過して不純物を取り除いた。スピンコートは回転数１００ｒｐｍで回転している基板１０上に色素溶液０．５ｇをディスペンサーで供給し、その後、１０００ｒｐｍから３０００ｒｐｍまで基板を回転させ、最後に５０００ｒｐｍで２ｓｅｃ間回転させた。このとき、上記溶液を、グルーブ部分で厚さ６０ｎｍとなるように塗布した。次いで、上記色素材料を塗布した基板１０を８０℃にて１時間乾燥させ、さらに、室温にて１時間冷却した。こうして、記録層１１（光吸収層）を基板１０上に形成した。
【００６５】
【化１】
2006172688.tif 000003
【００６６】
次いで、記録層１１上に、反射層１２としてＡｇ合金膜を厚さ１３０ｎｍとなるように、スパッタ法を用いて形成した。次いで、反射層１２上に、接着層１３としてＵＶ樹脂材料をスピンコート法により塗布し、さらに、その上にダミー基板１４として厚さ０．６ｍｍのポリカーボネート製基板を載置した。この状態で、ダミー基板１４側からＵＶ照射して接着層１３を硬化させることにより、各層が形成された基板１０とダミー基板１４とを貼り合わせて実施例１の光情報記録媒体（光情報記録媒体Ａ）を得た。
【００６７】
なお、実施例１で作製した光情報記録媒体Ａでは、記録後の反射レベル（反射率）が記録前の反射レベルより高くなるような記録膜の構成とした。しかしながら、本発明はこれに限定されず、記録後の反射レベルが記録前の反射レベルより低くなるような記録膜の構成にしても良く、その場合にも同様の効果が得られる。
【００６８】
また、本実施例では、ＢＣＡにストレートのグルーブからなる凹凸パターンを形成したが、ウォブルしたグルーブを用いてＢＣＡの凹凸パターンを形成しても良く、その場合にも同様の効果が得られる。
【００６９】
［比較例１］
比較例１では、ＢＣＡの凹凸パターンをグルーブで形成し、そのトラックピッチを４００ｎｍ、グルーブの溝幅を２１０ｎｍ、そして、溝深さを７０ｎｍとした。すなわち、ユーザー情報領域と同じ寸法のグルーブを形成した。ＢＣＡのグルーブの寸法を変えたこと以外は実施例１と同様にして、光情報記録媒体Ｂを作製した。
【００７０】
［ＢＣＡ情報の記録再生特性］
実施例１及び比較例１でそれぞれ作製した光情報記録媒体Ａ及びＢに対して次のようにしてＢＣＡ情報を記録した。光情報記録媒体の半径２２．２０ｍｍ〜２３．２０ｍｍの位置にＢＣＡ信号を記録するために、レーザ波長６６８ｎｍ、ビーム径約１μｍ×約４８μｍを有するＢＣＡライターを使用して、ＢＣＡ信号の記録を行った。レーザパワー９００ｍＷ、線速５ｍ／ｓ、半径方向のビーム送り量８μｍ、記録化開始位置２２．１ｍｍ、及び、記録終了位置２３．３ｍｍの条件に設定してＢＣＡコードを記録した。
【００７１】
次に、ＢＣＡコードが記録された実施例１及び比較例１の各光情報記録媒体に対して、波長４０５ｎｍのレーザ光及び開口数０．６５の対物レンズを有する光ピックアップを備えるテスターで、フォーカスをかけてトラッキングをはずした状態でＢＣＡ情報を再生した。その再生信号波形の写真を図７に示した。
【００７２】
図７中の左側の写真が実施例１の光情報記録媒体ＡにおけるＢＣＡ再生信号波形である。左側下段の波形写真は、左側中段の波形写真の横軸（時間軸）を拡大した波形写真である。また、左側上段の波形写真は、左側中段の波形写真の縦軸（電圧軸）を拡大した波形写真であり、ＢＣＡ再生信号とクロストラック信号との関係を示した図である。一方、図７中の右側の波形写真は比較例１の光情報記録媒体ＢにおけるＢＣＡ再生信号波形である。右側上段の波形写真は、右側中段の波形写真の縦軸を拡大した波形写真であり、ＢＣＡ再生信号とクロストラック信号との関係を示した写真である。
【００７３】
図７中の左側及び右側の上段写真中の波形２０がＢＣＡ再生信号波形である。この波形２０の下側のピークレベルがＢＣＡの未記録部における信号レベル（以下では、Ｌｏｗレベルともいう）であり、波形２０の上側のピークレベルがＢＣＡの記録部における信号レベル（以下のＨｉｇｈレベルともいう）である。また、図７中の左側及び右側の上段写真中の波形２３及び２４（図７中の左側及び右側の上段写真中の太破線の波形）は、それぞれ波形２０のＬｏｗ及びＨｉｇｈレベルの変動を示したものであり、クロストラック信号の影響を表している。すなわち、波形２３は、ＢＣＡの未記録部におけるクロストラック信号の影響による再生信号レベルの変動を示しており、波形２４は、ＢＣＡの記録部におけるクロストラック信号の影響によるＢＣＡ再生信号レベルの変動を示している。
【００７４】
図７のＢＣＡ再生信号の波形写真から明らかなように、比較例１では、クロストラック信号の影響により、ＢＣＡ再生信号波形２０の振幅変動が大きくなり、ＢＣＡの未記録部におけるクロストラック信号の振幅２６（ＢＣＡ再生信号の未記録レベルの変動量）が、ＢＣＡ再生信号波形２０の最小振幅２５より大きくなることが分かった。このような振幅変動の大きなＢＣＡ再生信号波形２０からＢＣＡ情報を正確に再生することは困難でなる。一方、実施例１の光情報記録媒体では、クロストラック信号の振幅２６及び２７がともに、ＢＣＡ再生信号波形２０の最小振幅２５より非常に小さくなることが分かった。
【００７５】
図７に示したＢＣＡ再生信号波形の写真から、実施例１及び比較例１の光情報記録媒体のＢＣＡ再生信号の最小振幅２５、ＢＣＡの未記録部におけるクロストラック信号の振幅２６、ＢＣＡの記録部におけるクロストラック信号の振幅２７、及び、ＢＣＡ再生信号の最小振幅における変調度を測定した。その結果を表１にまとめた。なお、ＢＣＡ再生信号の変調度は、通常、ＢＣＡの記録部の反射率と未記録部の反射率のうち、高い方の反射率ＲＨと低い方の反射率ＲＬとすると、（ＲＨ−ＲＬ）／ＲＨとして表わされるが、ここでは、ＢＣＡ再生信号の変調度は、反射率の代わりに、ＢＣＡ再生信号の最小振幅におけるのレベル差から変調度を求めた。具体的には、ＢＣＡ再生信号の最小振幅におけるＨｉｇｈレベル及びＬｏｗレベルをそれぞれＲＨ及びＲＬとして、（ＲＨ−ＲＬ）／ＲＨを計算しその値をＢＣＡ再生信号の最小振幅における変調度とした。このようにして求められた変調度は、実質的には反射率の差から求めた変調度と同様の値となる。表１中の各パラメータと測定項目との対応は次の通りである。
ＴＰ：トラックピッチ
ＲＨ：ＢＣＡ再生信号の最小振幅におけるＨｉｇｈレベル
ＲＬ：ＢＣＡ再生信号の最小振幅におけるＬｏｗレベル
ＲＨ−ＲＬ：ＢＣＡ再生信号の最小振幅（図７中の振幅量２５）
Ｉｃｔｕ：ＢＣＡの未記録部におけるクロストラック信号の振幅（図７中のＬｏｗレベルの変動量２６）
Ｉｃｔｗ：ＢＣＡの記録部におけるクロストラック信号の振幅（図７中のＨｉｇｈレベルの変動量２７）
（ＲＨ−ＲＬ）／ＲＨ：ＢＣＡ再生信号の最小振幅における変調度
【００７６】
【表１】
2006172688.tif 000004
【００７７】
表１から明らかなように、実施例１の光情報記録媒体Ａでは、クロストラック信号の振幅（表１中のＩｃｔｗ及びＩｃｔｕ）よりもＢＣＡ再生信号の最小振幅（表１中のＲＨ−ＲＬ）の方が大きくなり、その変調度（表１中の（ＲＨ−ＲＬ）／ＲＨ）も２０％を大きくこえた。また、実施例１の光情報記録媒体Ａでは、比較例１に比べて、ＢＣＡ再生信号の振幅変動も小さく、良好な信号品質のＢＣＡ再生信号が得られることが分かった。一方、ＢＣＡのトラックピッチがユーザー情報領域のトラックピッチと同じである比較例１の光情報記録媒体Ｂでは、クロストラック信号の振幅よりもＢＣＡ再生信号の最小振幅の方が小さくなり、その変調度も２０％よりも小さくなった。また、比較例１の光情報記録媒体では、ＢＣＡ再生信号の振幅変動も大きく、信号品質も劣化した。すなわち、実施例１のように、ＢＣＡの凹凸パターンのトラックピッチＴＰをユーザー情報領域のトラックピッチＴＰｙより狭くすることにより、振幅変動が小さく、変調度の高いＢＣＡ再生信号が得られることが分かった。
【実施例２】
【００７８】
実施例２では、ＢＣＡの凹凸パターンをグルーブで形成し、そのトラックピッチを３７０ｎｍ、グルーブの溝幅を２５０ｎｍ、溝間の幅を１２０ｎｍ、そして、溝深さを７０ｎｍとした。ＢＣＡのグルーブの寸法を変えたこと以外は実施例１と同様にして、光情報記録媒体Ｃを作製した。
【実施例３】
【００７９】
実施例３では、ＢＣＡの凹凸パターンをグルーブで形成し、そのトラックピッチを３７０ｎｍ、グルーブの溝幅を２２０ｎｍ、溝間の幅を１５０ｎｍ、そして、溝深さを７０ｎｍとした。ＢＣＡのグルーブの寸法を変えたこと以外は実施例１と同様にして、光情報記録媒体Ｄを作製した。
【実施例４】
【００８０】
実施例４では、ＢＣＡの凹凸パターンをグルーブで形成し、そのトラックピッチを３７０ｎｍ、グルーブの溝幅を１９０ｎｍ、溝間の幅を１８０ｎｍ、そして、溝深さを７０ｎｍとした。ＢＣＡのグルーブの寸法を変えたこと以外は実施例１と同様にして、光情報記録媒体Ｅを作製した。
【実施例５】
【００８１】
実施例５では、ＢＣＡの凹凸パターンをエンボスピット列で形成し、そのトラックピッチを３７０ｎｍ、エンボスピット列のピット幅を１９０ｎｍ、ピット列間の幅を１８０ｎｍ、ピット長を２５０ｎｍ、ピット間隔を１５０ｎｍ、そして、ピット深さを７０ｎｍとした。ＢＣＡの凹凸パターンを変えたこと以外は実施例１と同様にして、光情報記録媒体Ｆを作製した。
【実施例６】
【００８２】
実施例６では、ＢＣＡの凹凸パターンをグルーブとそのグルーブ間に設けられたエンボスピット列とで形成し、そのトラックピッチを３７０ｎｍとした。グルーブの溝幅は１００ｎｍ、溝深さは７０ｎｍとした。エンボスピット列のピット幅は６０ｎｍ、ピット長は３００ｎｍ、ピット間隔は１００ｎｍ、そして、ピット深さは７０ｎｍとした。また、エンボスピット列とその両側に位置するグルーブとの間の幅をそれぞれ１８０ｎｍ、３０ｎｍとした。ＢＣＡの凹凸パターンを変えたこと以外は実施例１と同様にして、光情報記録媒体Ｇを作製した。
【００８３】
［比較例２］
比較例２では、ＢＣＡの凹凸パターンをグルーブで形成し、そのトラックピッチを３７０ｎｍ、グルーブの溝幅を１８０ｎｍ、溝間の幅を１９０ｎｍ、そして、溝深さを７０ｎｍとした。ＢＣＡの凹凸パターンを変えたこと以外は実施例１と同様にして、光情報記録媒体Ｈを作製した。
【００８４】
［比較例３］
比較例３では、ＢＣＡの凹凸パターンをグルーブで形成し、そのトラックピッチを３７０ｎｍ、グルーブの溝幅を１５０ｎｍ、溝間の幅を２２０ｎｍ、そして、溝深さを７０ｎｍとした。ＢＣＡの凹凸パターンを変えたこと以外は実施例１と同様にして、光情報記録媒体Ｉを作製した。
【００８５】
［比較例４］
比較例４では、ＢＣＡの凹凸パターンをエンボスピット列で形成し、そのトラックピッチを３７０ｎｍ、エンボスピット列のピット幅を１８０ｎｍ、ピット列間の幅を１９０ｎｍ、ピット長を３００ｎｍ、ピット間隔を１００ｎｍ、そして、ピット深さを７０ｎｍとした。ＢＣＡの凹凸パターンを変えたこと以外は実施例１と同様にして、光情報記録媒体Ｊを作製した。
【００８６】
［比較例５］
比較例５では、ＢＣＡの凹凸パターンをグルーブとそのグルーブ間に設けられたエンボスピット列とで形成し、そのトラックピッチを３７０ｎｍとした。グルーブの溝幅は１００ｎｍ、溝深さは７０ｎｍとした。エンボスピット列のピット幅は６０ｎｍ、ピット長は２５０ｎｍ、ピット間隔は１５０ｎｍ、そして、ピット深さは７０ｎｍとした。また、エンボスピット列とその両側に位置するグルーブとの間の幅をそれぞれ１９０ｎｍ、２０ｎｍとした。ＢＣＡの凹凸パターンを変えたこと以外は実施例１と同様にして、光情報記録媒体Ｋを作製した。
【００８７】
［ＢＣＡ情報の記録再生特性］
実施例２〜６及び比較例２〜５で作製した光情報記録媒体に対しても、実施例１と同様にして、ＢＣＡにＢＣＡコードを記録した。そして、実施例１と同様に波長４０５ｎｍのレーザ光及び開口数０．６５の対物レンズを有する光ピックアップを備えるテスターで、フォーカスをかけてトラッキングをはずした状態で各光情報記録媒体のＢＣＡ情報を再生し、ＢＣＡ再生信号の最小振幅の変調度を測定した。その結果を表２及び表３に示した。なお、表２及び３中の各パラメータの意味は、次の通りである。
ＴＰ：ＢＣＡのトラックピッチ
ＬＷ１：ＢＣＡのグルーブ間の幅
ＬＷ２：ＢＣＡのエンボスピット列間の幅
ＬＷ３：ＢＣＡのエンボスピット列とその両側のグルーブとの間の幅のうち広い方の幅
ＮＡ：テスターのレンズ開口数
λ：テスターのレーザ波長
ＲＨ：ＢＣＡ再生信号の最小振幅におけるＨｉｇｈレベル
ＲＬ：ＢＣＡ再生信号の最小振幅のＬｏｗレベル
（ＲＨ−ＲＬ）／ＲＨ：ＢＣＡ再生信号の最小振幅における変調度
【００８８】
【表２】
2006172688.tif 000005
【００８９】
【表３】
2006172688.tif 000006
【００９０】
表２及び３の結果から、（ＬＷ１×ＮＡ）／λ、（ＬＷ２×ＮＡ）／λ及び（ＬＷ３×ＮＡ）／λと変調度（ＲＨ−ＲＬ）/ＲＨとの関係を図８に示した。図８では、横軸に（ＬＷ１×ＮＡ）／λ、（ＬＷ２×ＮＡ）／λまたは（ＬＷ３×ＮＡ）／λをとり、縦軸に変調度（ＲＨ−ＲＬ）/ＲＨをとった。ＢＣＡをグルーブからなる凹凸パターンで形成した場合、図８から明らかなように、（ＬＷ１×ＮＡ）／λが増大すると、すなわち、グルーブ間（ランド部）の幅ＬＷ１が増大するとともに直線的に変調度（ＲＨ−ＲＬ）/ＲＨが小さくなる。そして、（ＬＷ１×ＮＡ）／λを０．３以下とすることで、ＢＣＡ再生信号の最小振幅の変調度が２０％を超え、信号品質が良好となることが分かった。また、ＢＣＡをエンボスピット列、または、グルーブとエンボスピット列とからなる凹凸パターンで形成した場合にも、図８に示すように、（ＬＷ１×ＮＡ）／λと同様の特性が得られ、（ＬＷ２×ＮＡ）／λ、または、（ＬＷ３×ＮＡ）／λを０．３以下とすることでＢＣＡ再生信号の最小振幅の変調度が２０％を超えることが分かった。なお、本発明では、変調度の優劣の基準として２０％を基準としたが、これは次の理由によるものである。後述するように、ＢＣＡ再生信号の最小振幅の変調度が２０％を超えるように、ＢＣＡの凹凸パターンを形成した場合、ＢＣＡ再生信号の最小振幅の変調度がクロストラック信号の変調度より大きくなり（図９参照）、確実にＢＣＡ情報を再生できるため、ここでは変調度の優劣の基準として２０％を基準とした。
【実施例７】
【００９１】
実施例７では、ＢＣＡの凹凸パターンをグルーブで形成し、そのトラックピッチを３１０ｎｍ、グルーブの溝幅を２００ｎｍ、溝間の幅を１１０ｎｍ、そして、溝深さ７０ｎｍとした。ＢＣＡのグルーブの寸法を変えたこと以外は実施例１と同様にして、光情報記録媒体Ｌを作製した。
【実施例８】
【００９２】
実施例８では、ＢＣＡの凹凸パターンをグルーブで形成し、そのトラックピッチを２８０ｎｍ、グルーブの溝幅を２００ｎｍ、溝間の幅を８０ｎｍ、そして、溝深さを７０ｎｍとした。ＢＣＡのグルーブの寸法を変えたこと以外は実施例１と同様にして、光情報記録媒体Ｍを作製した。
【００９３】
［比較例６］
比較例６では、ＢＣＡの凹凸パターンをグルーブで形成し、そのトラックピッチを３８５ｎｍ、グルーブの溝幅を１９０ｎｍ、溝間の幅を１９５ｎｍ、そして、溝深さを７０ｎｍとした。ＢＣＡのグルーブの寸法を変えたこと以外は実施例１と同様にして、光情報記録媒体Ｎを作製した。
【００９４】
［比較例７］
比較例７では、ＢＣＡの凹凸パターンをグルーブで形成し、そのトラックピッチを４２５ｎｍ、グルーブの溝幅を２１０ｎｍ、溝間の幅を２１５ｎｍ、そして、溝深さを７０ｎｍとした。それ以外は実施例１と同様にして、光情報記録媒体Ｏを作製した。
【００９５】
［ＢＣＡ情報の記録再生特性］
実施例７及び８並びに比較例６及び７で作製した光情報記録媒体に対しても、実施例１と同様にして、ＢＣＡにＢＣＡコードを記録した。そして、実施例１と同様に波長４０５ｎｍのレーザ光及び開口数０．６５の対物レンズを有する光ピックアップを備えるテスターで、フォーカスをかけてトラッキングをはずした状態で各光情報記録媒体のＢＣＡ情報を再生し、ＢＣＡ再生信号の最小振幅及びその変調度、並びに、クロストラック信号の最大振幅（ＢＣＡ再生信号波形のＬｏｗレベル及びＨｉｇｈレベルの振幅変動のうち大きい方の振幅変動量）とその変調度を測定した。
【００９６】
また、テスターの再生ビームのスポット中心をＢＣＡの未記録部のグルーブの中央に照射している時（図４中の左図の円３０の状態）の再生信号レベルとＢＣＡの記録部のグルーブの中央に照射している時（図４中の左図の円３２の状態）の再生信号レベルとの差（ＢＣＡ再生信号の振幅）、並びに、テスターの再生ビームのスポット中心をＢＣＡの未記録部のグルーブ間の中央に照射している時（図４中の左図の円３１の状態）の再生信号レベルとＢＣＡの記録部のグルーブ間の中央に照射している時（図４中の左図の円３３の状態）の再生信号レベルの差（ＢＣＡ再生信号の振幅）も測定した。以上の測定結果を表４に示した。なお、表４には、実施例１、２及び比較例１の測定結果も記載した。また、表４中の各パラメータの意味は次の通りである。
ＴＰ：ＢＣＡのトラックピッチ
ＮＡ：テスターのレンズ開口数
λ：テスターのレーザ波長
ＲＨ：ＢＣＡ再生信号の最小振幅におけるＨｉｇｈレベル
ＲＬ：ＢＣＡ再生信号の最小振幅におけるＬｏｗレベル
（ＲＨ−ＲＬ）／ＲＨ：ＢＣＡ再生信号の最小振幅における変調度
Ｉｃｔ：クロストラック信号の最大振幅
Ｉｃｔ／ＲＨ：クロストラック信号の最大振幅における変調度
ΔＩｇ：再生ビームのスポット中心をＢＣＡのグルーブの中央に照射している際のＢＣＡ再生信号の振幅
ΔＩｌ１：再生ビームのスポット中心をＢＣＡのグルーブ間の中央に照射している際のＢＣＡ再生信号の振幅
【００９７】
【表４】
2006172688.tif 000007
【００９８】
表４の結果から、ＢＣＡの凹凸パターンをグルーブで形成した場合の（ＴＰ×ＮＡ）／λと、変調度（ＲＨ−ＲＬ）/ＲＨ及びＩｃｔ/ＲＨとの関係を図９に示した。図９では、横軸に（ＴＰ×ＮＡ）／λをとり、縦軸に変調度（ＲＨ−ＲＬ）/ＲＨまたはＩｃｔ/ＲＨをとった。なお、表４に示した実施例及び比較例の光情報記録媒体ではそれぞれ反射率が異なるため、図９では、ＢＣＡ再生信号の最小振幅におけるＨｉｇｈレベル（ＲＨ）で正規化した値をプロットした。
【００９９】
ＢＣＡをグルーブからなる凹凸パターンで形成した場合、表４から明らかなように、（ＴＰ×ＮＡ）／λを０．６以下とすることにより、ＢＣＡ再生信号の最小振幅の変調度がクロストラック信号の最大振幅の変調度よりも大きくなり、且つ、ＢＣＡ再生信号の最小振幅の変調度が２０％以上となることが分かった。すなわち、（ＴＰ×ＮＡ）／λを０．６以下とすることにより、ＢＣＡ再生信号の最小振幅がクロストラック信号の最大振幅よりも大きくなり、且つ良好な信号品質のＢＣＡ再生信号が得られることが分かった。また、このことから、ＢＣＡ再生信号の最小振幅の変調度を２０％以上となるようにＢＣＡの凹凸パターンを形成することにより、ＢＣＡ再生信号の最小振幅がクロストラック信号の最大振幅よりも大きくなり、より確実にＢＣＡ情報を再生できることが分かった。
【０１００】
また、表４の結果から、ＢＣＡの凹凸パターンをグルーブで形成した場合の（ＴＰ×ＮＡ）／λと、ΔＩｇ及びΔＩｌ１のうち大きい方のレベル差（振幅）を小さい方のレベル差を割った値（ΔＩｇ／ΔＩｌ１またはΔＩｌ１／ΔＩｇ）との関係を図１０に示した。図１０では、横軸に（ＴＰ×ＮＡ）／λをとり、縦軸にΔＩｇ／ΔＩｌ１またはΔＩｌ１／ΔＩｇをとった。図１０から明らかなように、ＢＣＡにグルーブからなる凹凸パターンを形成した場合、（ＴＰ×ＮＡ）／λを０．６以下とすることにより、ΔＩｇ／ΔＩｌ１またはΔＩｌ１／ΔＩｇが１．４以下となり振幅変動を小さくすることができた。すなわち、図９及び１０から、（ＴＰ×ＮＡ）／λ≦０．６となるように、ＢＣＡにグルーブを形成することにより、ＢＣＡ再生信号の最小振幅の変調度が２０％を超え且つ再生信号の振幅変動も小さくなり、良好な信号品質でＢＣＡ再生信号が得られることが分かった。なお、図１０では、ΔＩｇ／ΔＩｌ１またはΔＩｌ１／ΔＩｇの優劣の基準を１．４としたが、この値は、図１０から明らかなように、（ＴＰ×ＮＡ）／λを大きくした場合、ΔＩｇ／ΔＩｌ１またはΔＩｌ１／ΔＩｇが急激に増加する（変動が大きくなる）直前の数値である。ΔＩｇ／ΔＩｌ１またはΔＩｌ１／ΔＩｇが１．４より多少大きくてもＢＣＡ情報を全く再生できなくなるわけではないが、ΔＩｇ／ΔＩｌ１またはΔＩｌ１／ΔＩｇが急激に増加する領域におけるトラックピッチの制御は、実際には非常に困難であるため、ここでは、ΔＩｇ／ΔＩｌ１またはΔＩｌ１／ΔＩｇが急激に増加する直前の数値１．４を基準としている。
【実施例９】
【０１０１】
実施例９では、ＢＣＡの凹凸パターンをエンボスピット列で形成し、そのトラックピッチを３５０ｎｍ、エンボスピット列のピット幅を１９０ｎｍ、ピット列間の幅を１６０ｎｍ、ピット長を２００ｎｍ、ピット間隔を２００ｎｍ、そして、ピット深さを７０ｎｍとした。ＢＣＡの凹凸パターンを変えたこと以外は実施例１と同様にして、光情報記録媒体Ｐを作製した。
【実施例１０】
【０１０２】
実施例１０では、ＢＣＡの凹凸パターンをグルーブとそのグルーブ間に設けられたエンボスピット列とで形成し、そのトラックピッチ３５０ｎｍとした。グルーブの溝幅は２００ｎｍ、溝深さは７０ｎｍとした。また、エンボスピット列のピット幅は１００ｎｍ、ピット長は２００ｎｍ、ピット間隔は２００ｎｍ、そして、ピット深さは７０ｎｍとした。また、エンボスピット列とその両側に位置するグルーブとの間の幅をそれぞれ４０ｎｍ、１０ｎｍとした。ＢＣＡの凹凸パターンを変えたこと以外は実施例１と同様にして、光情報記録媒体Ｑを作製した。
【０１０３】
［比較例８］
比較例８では、ＢＣＡの凹凸パターンをエンボスピット列で形成し、そのトラックピッチを４００ｎｍ、エンボスピット列のピット幅を１９０ｎｍ、ピット列間の幅を２１０ｎｍ、ピット長を２００ｎｍ、ピット間隔を２００ｎｍ、そして、ピット深さを７０ｎｍとした。ＢＣＡの凹凸パターンを変えたこと以外は実施例１と同様にして、光情報記録媒体Ｒを作製した。
【０１０４】
［比較例９］
比較例９では、ＢＣＡの凹凸パターンをグルーブとそのグルーブ間に設けられたエンボスピット列とで形成し、そのトラックピッチを４００ｎｍとした。グルーブの溝幅は１２０ｎｍ、溝深さは７０ｎｍとした。また、エンボスピット列のピット幅は８０ｎｍ、ピット長は２００ｎｍ、ピット間隔は２００ｎｍ、そして、ピット深さは７０ｎｍとした。また、エンボスピット列とその両側に位置するグルーブとの間の幅をそれぞれ１９０ｎｍ、１０ｎｍとした。ＢＣＡの凹凸パターンを変えたこと以外は実施例１と同様にして、光情報記録媒体Ｓを作製した。
【０１０５】
［ＢＣＡ情報の記録再生特性］
実施例９及び１０並びに比較例８及び９で作製した光情報記録媒体に対しても、実施例１と同様にして、ＢＣＡにＢＣＡコードを記録した。そして、実施例１と同様に波長４０５ｎｍのレーザ光及び開口数０．６５の対物レンズを有する光ピックアップを備えるテスターで、フォーカスをかけてトラッキングをはずした状態で各光情報記録媒体のＢＣＡ情報を再生し、ＢＣＡ再生信号の最小振幅及びその変調度、並びに、クロストラック信号の最大振幅（ＢＣＡ再生信号波形のＬｏｗレベル及びＨｉｇｈレベルの振幅変動のうち大きい方の振幅変動量）を測定した。
【０１０６】
また、ＢＣＡをエンボスピットのみで形成している光情報記録媒体（実施例９及び比較例８）に対しては、テスターの再生ビームのスポット中心をＢＣＡの未記録部のエンボスピット列の中央に照射している時（図４中の中央図の円３５の状態）の再生信号レベルとＢＣＡの記録部のエンボスピット列の中央に照射している時（図４中の中央図の円３７の状態）の再生信号レベルとの差（ＢＣＡ再生信号の振幅）、並びに、テスターの再生ビームのスポット中心をＢＣＡの未記録部のエンボスピット列間の中央に照射している時（図４中の中央図の円３４の状態）の再生信号レベルとＢＣＡの記録部のエンボスピット列間の中央に照射している時（図４中の中央図の円３６の状態）の再生信号レベルとの差（ＢＣＡ再生信号の振幅）を測定した。
【０１０７】
さらに、ＢＣＡをグルーブ及びエンボスピットで形成している光情報記録媒体（実施例１０及び比較例９）に対しては、テスターの再生ビームのスポット中心をＢＣＡの未記録部のグルーブの中央に照射している時（図４中の右図の円３０の状態）の再生信号レベルとＢＣＡの記録部のグルーブの中央に照射している時（図４中の右図の円３２の状態）の再生信号レベルとの差（ＢＣＡ再生信号の振幅）、並びに、テスターの再生ビームのスポット中心をＢＣＡの未記録部のグルーブとエンボスピット列との間の中央に照射している時（図４中の右図の円３８の状態）の再生信号レベルとＢＣＡの記録部のグルーブとエンボスピット列との間の中央に照射している時（図４中の右図の円３９の状態）の再生信号レベルとの差（ＢＣＡ再生信号の振幅）を測定した。以上の測定結果を表５に示した。なお、表５中の各パラメータの意味は次の通りである。
ＴＰ：ＢＣＡのトラックピッチ
ＲＨ：ＢＣＡ再生信号の最小振幅におけるＨｉｇｈレベル
ＲＬ：ＢＣＡ再生信号の最小振幅におけるＬｏｗレベル
（ＲＨ−ＲＬ）／ＲＨ：ＢＣＡ再生信号の最小振幅における変調度
Ｉｃｔ：クロストラック信号の最大振幅
ΔＩｇ：再生ビームのスポット中心をＢＣＡのグルーブの中央に照射している際の再生信号の振幅
ΔＩｌ２：再生ビームのスポット中心をＢＣＡのグルーブとエンボスピット列との間の中央に照射している際の再生信号の振幅
ΔＩｐ：再生ビームのスポット中心をＢＣＡのエンボスピット列の中央に照射している際の再生信号の振幅
ΔＩｏ：再生ビームのスポット中心をＢＣＡのエンボスピット列間の中央に照射している際の再生信号の振幅
【０１０８】
【表５】
2006172688.tif 000008
【０１０９】
表５から明らかなように、実施例９及び１０の光情報記録媒体では、クロストラック信号の最大振幅Ｉｃｔよりも再生信号の最小振幅（ＲＨ−ＲＬ）の方が大きくなり、その変調度も２０％を大きく超えた。すなわち、ＢＣＡの凹凸パターンをグルーブの代わりにエンボスピット列、あるいはグルーブとエンボスピット列の形状で形成しても実施例１と同様の結果が得られた。一方、比較例８及び９の光情報記録媒体では、クロストラック信号の最大振幅Ｉｃｔが再生信号の最小振幅（ＲＨ−ＲＬ）より大きくなり、その変調度も２０％より小さくなった。
【０１１０】
また、表５から明らかなように、ＢＣＡがエンボスピット列のみで形成されている光情報記録媒体（実施例９及び比較例８）のΔＩｐ／ΔＩｏまたはΔＩｏ／ΔＩｐの値を比較すると、実施例９（ＴＰ×ＮＡ／λ＝０．５６２）では１．４以下となり、振幅変動を小さくなったが、比較例８（ＴＰ×ＮＡ／λ＝０．６４２）では、１．４より大きくなった。ＢＣＡがグルーブとエンボスピット列から形成されている光情報記録媒体（実施例１０及び比較例９）のΔＩｇ／ΔＩｌ２またはΔＩｌ２／ΔＩｇの値を比較すると、実施例１０（ＴＰ×ＮＡ／λ＝０．５６２）では１．４以下となり、振幅変動を小さくなったが、比較例９（ＴＰ×ＮＡ／λ＝０．６４２）では、１．４より大きくなった。すなわち、ＢＣＡの凹凸パターンをグルーブの代わりにエンボスピット列、あるいはグルーブとエンボスピット列の形状で形成しても、実施例１と同様に、ＴＰ×ＮＡ／λ≦０．６とすることによりＢＣＡ再生信号の振幅変動も小さくなり、良好な信号品質が得られることが分かった。
【産業上の利用可能性】
【０１１１】
本発明の光情報記録媒体によれば、ＢＣＡから再生信号が十分得られる程度の膜厚を有する光吸収層（色素材料からなる記録層）をＢＣＡの基板上に形成することができ、且つ、トラッキング制御を行わずにＢＣＡ情報を再生しても振幅変動の非常に小さいＢＣＡ再生信号が得られる。それゆえ、本発明の光情報記録媒体は、例えば、ＨＤ  ＤＶＤ−Ｒのような、記録層が色素材料で形成され、トラッキングを行わずにＢＣＡ情報を再生する方式の光情報記録媒体に最適である。
【図面の簡単な説明】
【０１１２】
【図１】図１は、本発明の光情報記録媒体の実施形態の概略平面図である。
【図２】図２は、本発明の光情報記録媒体のＢＣＡ、管理情報領域及びユーザー情報領域における基板形状の概略構成図である。
【図３】図３は、ＢＣＡの凹凸パターンの形状を説明するための図である。
【図４】図４は、ＢＣＡに再生ビームを照射した際の凹凸パターンと再生ビームスポットとの位置関係を示した図である。
【図５】図５は、本発明の光情報記録媒体の実施形態の概略断面図である。
【図６】図６は、本発明の光情報記録媒体を作製する際に用いたカッティング装置の概略構成図である。
【図７】図７は、実施例１及び比較例１で作製した光情報記録媒体のＢＣＡから得られた再生信号波形の写真である。
【図８】図８は、実施例及び比較例で作製した光情報記録媒体におけるＬＷ１、ＬＷ２及びＬＷ３と変調度の関係を示した図である。
【図９】図９は、実施例及び比較例で作製した光情報記録媒体におけるＢＣＡのトラックピッチＴＰと変調度との関係を示した図である。
【図１０】図１０は、実施例及び比較例で作製した光情報記録媒体におけるＢＣＡのトラックピッチと、ΔＩｇ／ΔＩｌ１あるいはΔＩｌ１／ΔＩｇとの関係を示した図である。
【図１１】図１１は、ＢＣＡのエンボスピット列パターンの別の例を示した図である。
【符号の説明】
【０１１３】
１  光情報記録媒体
２  ＢＣＡ
３  管理情報領域
４  ユーザー情報領域
５，７ａ，９  グルーブ
５ａ  ランド部
６，７ｂ  エンボスピット
１０  基板
１１  記録層
１２  反射層
１３  接着層
１４  ダミー基板
２０  ＢＣＡ再生信号
２３，２４  クロストラック信号
２８  ＢＣＡの未記録部
２９  ＢＣＡの記録部
３０〜３９  再生ビームスポット
４０  ＬＷ１
４２  トラックピッチＴＰ
４３  ＬＷ２
４５  ＬＷ３
【図１】
2006172688.tif 000009
【図２】
2006172688.tif 000010
【図３】
2006172688.tif 000011
【図４】
2006172688.tif 000012
【図５】
2006172688.tif 000013
【図６】
2006172688.tif 000014
【図７】
2006172688.tif 000015
【図８】
2006172688.tif 000016
【図９】
2006172688.tif 000017
【図１０】
2006172688.tif 000018
【図１１】
2006172688.tif 000019